(57)【特許請求の範囲】
【請求項１】
ライナロール体から巻き戻されるライナに、搬送される帯状の未加硫のゴム状シートを重ねて巻取り芯に巻き取り、シート・ライナ巻取体を形成するゴム状シートの搬送巻取り方法であって、
前記ライナロール体から前記ライナを巻き戻す巻戻し点と、巻戻された前記ライナを前記巻取り芯に巻き付ける巻付け点とを結ぶライナ領域を、前記巻付け点を上にした斜め傾斜としたライナ傾斜部とするとともに、
長尺のゴム状シートを長手方向に搬送するゴム状シート搬送装置の搬出端に、ゴム状シートの先端部を下面で受けかつ駆動され回転する駆動ローラと、ゴム状シートをこの駆動ローラとの間で挟んで押す押えローラとからなることにより該ゴム状シートを保持するゴム状シート保持具を、
保持具移送手段を用いて、ゴム状シートの前記先端部を前記ライナ傾斜部上方に移動させ、かつ前記駆動ローラを駆動して前記ゴムシートの先端部を前記ライナ傾斜部に送り該ライナ傾斜部に接触させ部分的に重ねることにより、前記巻取り芯の駆動回転に伴うライナの移動及び巻取り芯への巻取りとともに、前記巻取り芯に、ゴム状シートとライナとが重なるシート・ライナ巻取体を形成することを特徴とするゴム状シートの搬送巻取り方法。
【請求項２】
前記駆動ローラは、駆動機を用いて回転するとともに、前記駆動機と駆動ローラとの間に、該駆動機の回転により駆動ローラをゴム状シートが搬送される向きに回転させるとともに、該駆動機による駆動ローラの周速よりも早い速度でのゴムシートの進行を許容することを特徴とする請求項１記載のゴム状シートの搬送巻取り方法。
【請求項３】
前記ゴム状シート保持具は、ゴム状シートの終端部が通過後に、前記搬出端に戻ることを特徴とする請求項１又は２記載のゴム状シートの搬送巻取り方法。
【請求項４】
前記巻戻された前記ライナは、前記巻付け点が前記巻取り芯の下方に位置して巻き付けられることにより、前記巻取り芯と、ライナとの間に前記ゴムシートが巻き込まれることを特徴とする請求項１〜３の何れかに記載のゴム状シートの搬送巻取り方法。
【請求項５】
ライナロール体から巻き戻されるライナに、搬送される帯状の未加硫のゴム状シートを重ねて巻取り芯に巻き取り、シート・ライナ巻取体を形成するゴム状シートの搬送巻取り装置であって、  
前記ゴム状シートを長手方向に搬送するゴム状シート搬送装置、
前記ライナロール体から前記ライナを巻き戻す巻戻し点と、巻戻された前記ライナを前記巻取り芯に巻き付ける巻付け点とを結ぶライナ領域を、前記巻付け点を上にした斜め傾斜としたライナ傾斜部とするとともに、巻取り芯を駆動回転するシート巻上げ装置、
及び、ゴム状シート搬送装置の搬出端に設けられ、ゴム状シートの先端部を下面で受けかつ駆動されて回転する駆動ローラと、ゴム状シートをこの駆動ローラとの間で挟んで押し下げる押えローラとからなり該ゴム状シートを保持するゴム状シート保持具と、このゴム状シート保持具を移送する保持具移送手段とからなるシート保持・移動装置を具えるとともに、
前記保持具移送手段は、前記ゴム状シート保持具で保持されるゴム状シートの先端部を、前記ライナ傾斜部上方に移動させ、かつ前記駆動ローラを駆動して前記ゴムシートの先端部を前記ライナ傾斜部に送り該ライナ傾斜部に接触させ部分的に重ねることにより、前記シート巻上げ装置の前記巻取り芯の駆動回転に伴うライナの移動及び巻取り芯への巻取りとともに、前記巻取り芯に、ゴム状シートとライナとが重なるシート・ライナ巻取体を形成することを特徴とするゴム状シートの搬送巻取り装置。
【請求項６】
前記駆動ローラは、駆動機を用いて回転するとともに、前記駆動機と駆動ローラとの間に、該駆動機の回転により駆動ローラを、ゴム状シートが搬送される向きに回転させるとともに、該前記駆動機による駆動ローラの周速よりも早い速度でのゴムシートの進行を許容する一方向クラッチを内在したことを特徴とする請求項５記載のゴム状シートの搬送巻取り装置。
【請求項７】
前記ゴム状シート保持具は、ゴム状シートの終端部が通過後に、前記搬出端に戻ることを特徴とする請求項５又は６記載のゴム状シートの搬送巻取り装置。
【請求項８】
前記巻戻された前記ライナは、前記巻付け点が前記巻取り芯の下方に位置して巻き付けられることにより、前記巻取り芯と、ライナとの間に前記ゴムシートが巻き込まれることを特徴とする請求項５〜７の何れかに記載のゴム状シートの搬送巻取り装置。
【発明の詳細な説明】
【技術分野】
【０００１】
本発明は、ライナロール体から巻き戻されるライナに、搬送される帯状の未加硫のゴム状シートを降下して重ねて巻取り芯に巻き取り、シート・ライナ巻取体を形成するゴム状シートの搬送巻取り方法、及びその装置に関する。
【背景技術】
【０００２】
タイヤの製造には、カーカス、ベルト層、インナーライナー等に各種のゴムプライが用いられ、このゴムプライは、ゴム混練機からのゴムをカレンダロールをへて，かつ必要によりコード等の補強材を配して未加硫のゴム状シートを形成する。このゴム状シートは長尺であるため、使用に先立って、剥離用の合成樹脂等からなるライナを介在させて、巻取り芯に巻き取られたシート・ライナ巻取体として保管される。
【０００３】
このシート・ライナ巻取体の形成に際して、成形されたゴム状シートを送り出すゴム状シート搬送装置からシート巻上げ装置との間の空間を該ゴム状シートの非能率的な手渡し作業に換えて、自動化し、製品品質の向上と作業能率の向上させるために、特許文献１はゴム状シート搬送装置、乃至中継ぎコンベヤの移動により、ゴム状シートの始端部を前記シート巻上げ装置に移送することにより自動化し、製品品質の向上と作業能率の向上させることを提案している。
【０００４】
【特許文献１】特開平５−３２３６２号公報
【発明の開示】
【発明が解決しようとする課題】
【０００５】
しかしながら、この特許文献１の装置は、シート巻上げ装置における巻取り芯（ドラム）の垂直方向上方に、この巻取り芯に向けて前記ゴムシートの先端部を供給し、かつ剥離用のライナを巻き取るライナロール体をその供給位置の上方に位置させて、供給され巻き付けられたゴム状シートの上方からライナを供給してシート・ライナ巻取体を形成するように構成されている。
【０００６】
その結果、前記ゴム状シート搬送装置乃至中継ぎコンベヤの先端は、断面円形の巻取り芯（ドラム）の巻付け位置の直近に正確に進入することが必要となり、又これらの装置は比較的大型であるため、制御が困難かつ高価となる。
【０００７】
本発明は、ライナロール体からライナを巻き戻す巻戻し点と、巻戻された前記ライナを前記巻取り芯に巻き付ける巻付け点とを結ぶライナ線をライナ傾斜部とし、このライナ傾斜部上に、未加硫のゴム状シート先端部をシート保持・移動装置を用いて供給することができ、このライナ傾斜部は直線状かつ比較的長く形成でき、巻取り芯にゴム状シートを直接供給する場合に比して、ゴム状シート先端部の供給制御を容易として、かつ安定した品質のシート・ライナ巻取体を形成しうるゴム状シートの搬送巻取り方法、及びその装置の提供を目的としている。
【課題を解決するための手段】
【０００８】
請求項１に係る発明は、ライナロール体から巻き戻されるライナに、搬送される帯状の未加硫のゴム状シートを重ねて巻取り芯に巻き取り、シート・ライナ巻取体を形成するゴム状シートの搬送巻取り方法であって、
前記ライナロール体から前記ライナを巻き戻す巻戻し点と、巻戻された前記ライナを前記巻取り芯に巻き付ける巻付け点とを結ぶライナ領域を、前記巻付け点を上にした斜め傾斜としたライナ傾斜部とするとともに、
長尺のゴム状シートを長手方向に搬送するゴム状シート搬送装置の搬出端に、ゴム状シートの先端部を下面で受けかつ駆動され回転する駆動ローラと、ゴム状シートをこの駆動ローラとの間で挟んで押す押えローラとからなることにより該ゴム状シートを保持するゴム状シート保持具を、
保持具移送手段を用いて、ゴム状シートの前記先端部を前記ライナ傾斜部上方に移動させ、かつ前記駆動ローラを駆動して前記ゴムシートの先端部を前記ライナ傾斜部に送り該ライナ傾斜部に接触させ部分的に重ねることにより、前記巻取り芯の駆動回転に伴うライナの移動及び巻取り芯への巻取りとともに、前記巻取り芯に、ゴム状シートとライナとが重なるシート・ライナ巻取体を形成することを特徴とする。
【０００９】
請求項２に係る発明は、前記駆動ローラが、駆動機を用いて回転するとともに、前記駆動機と駆動ローラとの間に、該駆動機の回転により駆動ローラを、ゴム状シートが搬送される向きに回転させるとともに、該駆動機による駆動ローラの周速よりも早い速度でのゴムシートの進行を許容すること、請求項３に係る発明は、前記ゴム状シート保持具が、ゴム状シートの終端部が通過後に、前記搬出端に戻ること、及び請求項４に係る発明は、前記巻戻された前記ライナが、前記巻付け点が前記巻取り芯の下方に位置して巻き付けられることにより、前記巻取り芯と、ライナとの間に前記ゴムシートが巻き込まれることを特徴としている。
【００１０】
又請求項５に係る発明は、ライナロール体から巻き戻されるライナに、搬送される帯状の未加硫のゴム状シートを重ねて巻取り芯に巻き取り、シート・ライナ巻取体を形成するゴム状シートの搬送巻取り装置であって、  
前記ゴム状シートを長手方向に搬送するゴム状シート搬送装置、
前記ライナロール体から前記ライナを巻き戻す巻戻し点と、巻戻された前記ライナを前記巻取り芯に巻き付ける巻付け点とを結ぶライナ領域を、前記巻付け点を上にした斜め傾斜としたライナ傾斜部とするとともに、巻取り芯を駆動回転するシート巻上げ装置、
及び、ゴム状シート搬送装置の搬出端に設けられ、ゴム状シートの先端部を下面で受けかつ駆動されて回転する駆動ローラと、ゴム状シートをこの駆動ローラとの間で挟んで押し下げる押えローラとからなり該ゴム状シートを保持するゴム状シート保持具と、このゴム状シート保持具を移送する保持具移送手段とからなるシート保持・移動装置を具えるとともに、
前記保持具移送手段は、前記ゴム状シート保持具で保持されるゴム状シートの先端部を、前記ライナ傾斜部上方に移動させ、かつ前記駆動ローラを駆動して前記ゴムシートの先端部を前記ライナ傾斜部に送り該ライナ傾斜部に接触させ部分的に重ねることにより、前記シート巻上げ装置の前記巻取り芯の駆動回転に伴うライナの移動及び巻取り芯への巻取りとともに、前記巻取り芯に、ゴム状シートとライナとが重なるシート・ライナ巻取体を形成することを特徴とする。
【００１１】
請求項６に係る発明は、前記駆動ローラが、駆動機を用いて回転するとともに、前記駆動機と駆動ローラとの間に、該駆動機の回転により駆動ローラを、ゴム状シートが搬送される向きに回転させるとともに、該駆動機による駆動ローラの周速よりも早い速度でのゴムシートの進行を許容する一方向クラッチを内在したこと、請求項７に係る発明は、前記ゴム状シート保持具が、ゴム状シートの終端部が通過後に、前記搬出端に戻ること、及び請求項８に係る発明は、前記巻戻された前記ライナが、前記巻付け点が前記巻取り芯の下方に位置して巻き付けられることにより、前記巻取り芯と、ライナとの間に前記ゴムシートが巻き込まれることを特徴としている。
【発明の効果】
【００１２】
請求項１、５に係る発明において、ライナロール体から巻き戻されるライナに、搬送される帯状の未加硫のゴム状シートを重ねて巻取り芯に巻き取り、シート・ライナ巻取体を形成するゴム状シートの搬送巻取り方法、装置であって、ライナロール体から前記ライナを巻き戻す巻戻し点と、巻戻された前記ライナを前記巻取り芯に巻き付ける巻付け点とを結ぶライナ領域を、前記巻付け点を上にした斜め傾斜としたライナ傾斜部とするとともに、駆動ローラと押えローラとを有するゴム状シート保持具を用いて、ゴム状シートの前記先端部を前記ライナ傾斜部上方に移動させ、かつ前記ゴムシートの先端部を前記ライナ傾斜部に送り該ライナ傾斜部に接触させ部分的に重ねることにより、前記巻取り芯の駆動回転に伴うライナの移動及び巻取り芯への巻取るものであるため、ゴム状シートの先端部は、比較的長く形成可能なライナ傾斜部に載せるのみでよく、ゴム状シート先端部の供給制御を容易として、装置、その制御、作業を簡易化するとともに、ライナとともに確実に該ライナに挟んでゴム状シートを巻取り芯に巻き取りうるためシート・ライナ巻取体の成形精度巻取り精度もを向上しうる。
【発明を実施するための最良の形態】
【００１３】
以下本発明の実施の一形態を図面に基づき説明する。
本発明のゴム状シートの搬送巻取り方法（以下、単に本発明の方法ということがある）の説明を、それに用いるゴム状シートの搬送巻取り装置１（以下、単に本発明の装置１ということがある）とともに説明する。
【００１４】
本発明の装置１は、図１，２に示すように、ゴム状シートＳを長手方向に搬送するゴム状シート搬送装置２、ゴム状シート搬送装置２の搬出端２Ｅに設けられ、ゴム状シートＳの先端部Ｓｓを保持して前記搬出端２Ｅから移送するシート保持・移動装置４、及びゴム状シートＳとライナＬとを重ねたシート・ライナ巻取体ＳＬを形成するシート巻上げ装置６とからなる。
【００１５】
前記ゴム状シートＳは、空気入りタイヤにおいて、カーカス、ベルト層、インナーライナー等に用いる各種の用途に適合させて選択されたゴム材の未加硫の帯状のゴムのプライ乃至ゴムのシートがコード等により補強されたプライであって、ゴム混練機、押出機、カレンダーロール等をへて所定幅かつ厚さの１ロットの長尺体として成形される。
【００１６】
このゴム状シートＳは、前記ゴム状シート搬送装置２により長手方向に搬送され、かつゴム状シート搬送装置２は、本形態では、両側の側板２ａ、２ａ間にローラ２ｂ…を設けたローラコンベヤとして形成される。なお、ゴム状シート搬送装置２としてベルトコンベヤなど、各種のコンベヤを用いうる。
【００１７】
前記ゴム状シート搬送装置２からシート保持・移動装置４を用いてゴム状シートＳの先端部Ｓｓは前記シート巻上げ装置６に移送される。このシート巻上げ装置６は、図１，２に略示するように、ライナＬを巻装したライナロール体ＬＲを、該ライナＬを巻戻し可能に保持するライナ支持台６ａと、巻取り芯１０の駆動回転に伴うライナＬの移動及び巻取り芯１０への巻取りとともに、前記巻取り芯１０に、ゴム状シートＳとライナＬとを重ねて巻付け、両者が重なるシート・ライナ巻取体ＳＬを形成する巻取り芯１０を設けた巻取り芯支持台６ｂとを具える。
【００１８】
又巻取り芯１０には、図示しない駆動モータを連係し、又シート巻上げ装置６は、前記ライナＬの巻取り芯１０への巻取り速度を、ゴム状シートＳが送られる速度と同期させて前記駆動モータを回転させる制御装置（図示せず）を具える。
【００１９】
又シート巻上げ装置６において、前記ライナロール体ＬＲは、本形態では、前記ライナＬを巻き戻す巻戻し点ＬＲ１を上に向けて、かつ前記シート・ライナ巻取体ＳＬよりも低所で前記ライナ支持台６ａで支持され、かつブレーキ手段によりライナＬに悪い影響を及ぼさない程度で巻戻しに対する抵抗が付与される。又前記巻取り芯支持台６ｂは巻取り芯１０を、比較的高所で、しかも前記ライナ支持台６ａよりも装置下流側に位置させて保持し、かつ本形態では、巻取り芯１０への巻付け点ＳＬ１は下向きかつ下方でライナＬの巻取りとともにゴム状シートＳを巻き込み、巻き取るごとく構成している。
【００２０】
このため、前記ライナロール体ＬＲから前記ライナＬを巻き戻す巻戻し点ＬＲ１と、巻戻された前記ライナＬを前記巻取り芯１０に巻き付ける巻付け点ＳＬ１とを結ぶライナ領域を、前記巻付け点ＳＬ１を上にした斜め傾斜としたライナ傾斜部Ｌｃとしている。このライナ傾斜部Ｌｃは、本形態では、直線状としているが大きな曲率半径で湾曲してもよく、又前記シート・ライナ巻取体ＬＲの、巻付けに伴う増径により傾斜を減じる。
【００２１】
ゴム状シートＳの始端部Ｓｓを前記ライナ傾斜部Ｌｃ上方に移動する前記シート保持・移動装置４は、ゴム状シート保持具４Ａと、保持具移送手段４Ｂとからなり、前記ゴム状シート保持具４Ａは、図２，図４（Ａ）に示すように、ゴム状シートＳが搬送されるのを待機する基準状態Ｐ１では、前記ゴム状シート搬送装置２の搬出端２Ｅに位置する。
【００２２】
又ゴム状シート保持具４Ａは、前記ゴム状シート搬送装置２の前記両側の側板２ａ、２ａと搬送方向に並ぶ基台１２Ａ、１２Ｂを具え、かつ基台１２Ａ，１２Ｂは、矩形の水平な載置板１３の外側に軸受け板１４を垂下した逆Ｌ字をなす。又基台１２Ａ，１２Ｂには前記軸受け板１４の搬送方向前方に駆動ローラ１６を架け渡し、かつ駆動ローラ１６の後方に例えば２本の案内ローラ１８，１８を配設しいる。又載置板１３に立ち上げた枢支片で枢支されて揺動するアーム１９，１９の前端間に押えローラ２０を架け渡している。なおアーム１９は、載置板１３の立上げ板に設けたシリンダ２１により揺動し、前記押えローラ１６を降下させることにより、ゴム状シートＳを駆動ローラ１６との間で挟んで押し下げ該ゴム状シートＳを保持しうる。
【００２３】
又前記駆動ローラ１６は、ゴム状シートＳの先端部Ｓｓを下面で受けかつ駆動されて回転する。この駆動ローラ１６は、本形態では、駆動機Ｍ１を用いて回転されるとともに、駆動ローラ１６と、前記駆動機Ｍ１との間に図３で破線で示す一方向クラッチ２２を介在させる。駆動機Ｍ１は、その回転により駆動ローラ１６を、ゴム状シートＳが搬送される向きに回転させるとともに、前記一方クラッチ２２は、前記駆動機Ｍ１により被動する該駆動機Ｍ１による駆動ローラ１６の周速よりも、早い速度でのゴムシートＳの搬送方向への送出しを許容する。なお、一方向クラッチ２２は、前記駆動機Ｍ１の回転に反対する向きの駆動ローラ１６の回転を拘束する。
【００２４】
前記保持具移送手段４ｂは、本形態では、前記載置板１３前後の立片で固定される案内軸２４と、ロッド端が前記載置板１３上の受板に固定した長尺かつ搬送方向にのびるシリンダ２６とを有する。シリンダ２６は本形態ではロッドの伸縮早さを自在に調整しうる。又前記案内軸２４は、前記ゴム状シート搬送装置２の前記側板２ａ上に並べて設けた２つの筒軸受け箱２８，２８で摺動可能に支持されるとともに、前記長尺のシリンダ２６も、その基筒前後を前記側板２ａ上の立上げ片に固定している。従って、シリンダ２６の伸縮により前記ゴム状シート保持具４Ａを移動でき、このゴム状シート保持具４ａはこの移動によって、図２，図４（Ａ）に示す、前記ゴム状シート搬送装置２の前記搬出端２Ｅに接する乃至近い位置であって、該ゴム状シート搬送装置２からのゴム状シートＳを受け取る前記搬出端２Ｅ付近の前記基準状態Ｐ１（図２に示す）と、図２，図４（Ｂ）〜（Ｄ）に示される、前記ゴム状シート保持具４Ａで保持されるゴム状シートＳの先端部Ｓｓを、前記ライナ傾斜部Ｌｃの前後長さ中間位置の上方に移動させ、前記駆動ローラ１６を駆動して前記ゴムシートＳの先端部Ｓｓを前記ライナ傾斜部Ｌｃ上に導きうる伸張状態Ｐ２（図２に示す）との間を往復動する。
【００２５】
なお、前記伸張状態ｐ２において、ゴム状シートＳの先端部Ｓｓは、駆動ローラ１６の前記駆動により、前記ライナ傾斜部Ｌｃに接触させ部分的に重ねる。これにより、前記シート巻上げ装置６の前記巻取り芯１０の駆動回転に伴うライナＬの移動及び巻取り芯１０への巻取りとともに、ゴム状シートＳとライナＬとが重なるシート・ライナ巻取体ＳＬを形成する
【００２６】
なお、図２，図４における前記ゴム状シート保持具４Ｂ先端には、前記ゴム状シートＳの先端部Ｓｓの垂れ下がりを検知するセンサｓ１が設けられる。又本発明の装置１には、各所に必要な位置センサ、速度センサを含む各種のセンサと、その出力を受けて動作する制御手段が配される。特に、ゴム状シートＳの前記先端部Ｓｓを検知するセンサは、巻取り芯１０への巻付け開始位置、前記ライナＬとの当初の接触位置を含めて各必要箇所に配置され、各進行の間での各先端部Ｓｓ位置が検出される。
【００２７】
しかして、本発明の方法、乃至装置１は、前記基準状態Ｐ１において、前記ゴム状シート搬送装置２を起動して、ゴム状シートＳを長手方向に搬送する。このゴム状シートＳの先端部Ｓｓを適宜センサが検知して、該先端部Ｓｓが近づくのを検出すると、ゴム状シート保持具４Ａの駆動ローラ１６が、測定されたゴム状シートＳの送り速度と等しい周速となるように制御されて駆動機Ｍ１による回転を開始する。
【００２８】
又センサが前記先端部Ｓｓが前記駆動ローラ１６の近傍に達することを検知すると、前記ゴム状シート保持具４Ｂのシリンダ２１を伸張してアーム１９を介して、押えローラ２０を押下げ、ゴム状シートＳの前記先端部Ｓｓを、駆動ローラ１６との間で挟んで押し、該ゴム状シートｓの先端部Ｓｓを保持できる。
【００２９】
保持ののち、前記保持具移送手段４Ｂのシリンダ２６がゴム状シート搬送装置２によるゴム状シートＳの移送速度に同期して伸張し、該ゴム状シート搬送装置２の前記搬出端２Ｅに接する前記基準状態Ｐ１（図２に示す）から、図４（Ｂ）〜（Ｄ）に示される、前記ゴム状シート保持具４Ａで保持されるゴム状シートＳの先端部Ｓｓを、前記ライナ傾斜部Ｌｃの前後長さ中間位置の上方に移動させ、降下しうる前記伸張状態Ｐ２（図２に示す）まで移動させうる。このように、シート保持・移動装置４はゴム状シートＳの先端部Ｓｓを前記基準状態Ｐ１から伸張状態Ｐ２に移動させうる。なお、先端部Ｓｓが駆動ローラ１６の位置となったとき、ゴム状シート搬送装置２を停止させることもできる。
【００３０】
この伸張状態Ｐ２において、駆動ローラ１６を駆動し、前記のように、ゴム状シートＳの先端部Ｓｓを、前記ライナ傾斜部Ｌｃに接触させ部分的に重ねる。これにより、前記シート巻上げ装置６の前記巻取り芯１０の駆動回転に伴うライナＬの移動及び巻取り芯１０への巻取りとともに、ゴム状シートＳとライナＬとが重なるシート・ライナ巻取体ＳＬを形成する。前記のように、図２，図４における前記ゴム状シート保持具４Ｂ先端のセンサｓ１が、前記ゴム状シートＳの先端部Ｓｓの垂れ下がりを検知して、下端がライナ傾斜部Ｌｃに接するまでの算定時間前に前記巻取り芯１０の回転を開始する。
【００３１】
なお、ゴム状シート保持具４Ａが伸張状態Ｐ２に伸張するに際して、該ゴム状シート保持具４Ｂの基台１２Ａ，１２Ｂ後端の案内ローラ１８と、ゴム状シート搬送装置２の搬出端２Ｅ側のローラ２ｂとの間には図２，図４（Ｂ）〜（Ｄ）に示すように、ゴム状シートＳが支持されない空隙Ｇが生じる。ゴム状シートＳがコード入りなどで補強されることなく強度が問題となるときには、適宜の支持中継ぎ手段３０、例えば図５に示すように、ゴム状シート搬送装置２の前記ローラ２ｂを内側板２ｃを用いて複数、例えば４つの小ローラ２ｂ１…に分割し、内側板２ｃ間の空所に、例えばコ字の枠体２８にローラ２９を設けた複数の中継ぎコンベヤ３０ａからなる支持中継ぎ手段３０を用いることができる。この中継ぎコンベヤ３０ａは、前記空隙Ｇの搬送方向長さに合わせて形成され（図１に一点鎖線で示す）、一端が前記保持具移送手段４Ｂの基台１２Ａ，１２Ｂを継ぐ適宜の支持板に固定することにより、保持具移送手段４Ｂによる移動とともに伸張して空隙Ｇに架け渡されゴム状シートＳを支持できる。
【００３２】
その他、本発明の方法及び装置において、特許請求の範囲に記載の発明の範囲内において種々な形態に変形しうる。
【図面の簡単な説明】
【００３３】
【図１】本発明の装置の実施例を方法とともに説明する斜視図である。
【図２】ゴム状シート搬送装置、シート保持・移動装置、シート巻上げ装置コンベアを、シート保持・移動装置の作用とともに示す部分正面図である。
【図３】ゴム状シート保持具を例示する断面図である。
【図４】（Ａ）〜（Ｄ）は作用を示す部分正面図である。
【図５】支持中継ぎ手段を例示する断面図である。
【符号の説明】
【００３４】
１      ゴム状シートの搬送巻取り装置
２      ゴム状シート搬送装置
４      シート保持・移動装置
４Ａ    ゴム状シート保持具
４Ｂ    保持具移送手段
６      シート巻上げ装置
１０      巻取り芯
１６      駆動ローラ
２０      押えローラ
２２      一方向クラッチ
Ｌ      ライナ
Ｓ      ゴム状シート
ｌＣ      ライナ傾斜部
ＬＲ      ライナロール体  
ＬＳ      シート・ライナ巻取体
【図１】
0005006767.tif 000002
【図２】
0005006767.tif 000003
【図３】
0005006767.tif 000004
【図４】
0005006767.tif 000005
【図５】
0005006767.tif 000006